(57)【要約】【課題】ＨＤＭＩ接続された外部機器が出力可能な条件（解像度など）の中から、表示装置により表示可能な出力条件を一覧表示し、表示装置の操作だけで外部機器側の出力条件設定を可能とした表示装置を提供する。【解決手段】ＴＶ３０は、レコーダ１０と接続するＨＤＭＩコネクタ３９と、ＣＥＣコマンドを使用してレコーダ１０から出力条件情報を取得し、取得したレコーダ１０の出力条件情報とＴＶ３０の出力条件情報とを比較するＨＯＳＴ・ＣＰＵ３１と、比較結果に基づいてＴＶ３０により表示可能なレコーダ１０の出力条件の一覧を表示する表示部３８とを備える。ＨＯＳＴ・ＣＰＵ３１は、ＣＥＣコマンドを使用して、表示部３８に表示された出力条件一覧からユーザ選択された出力条件情報をレコーダ１０へ送信し、レコーダ１０に出力条件を設定する。【選択図】図２
2008067024.tif 000002
【特許請求の範囲】
【請求項１】
外部機器と接続する接続手段を備えた表示装置であって、
所定のコマンドを使用して、前記接続手段を介して前記外部機器から出力条件情報を取得する出力条件取得手段と、該取得した前記外部機器の出力条件情報と前記表示装置の出力条件情報とを比較する比較手段と、該比較結果に基づいて前記表示装置により表示可能な前記外部機器の出力条件の一覧を表示する表示手段とを備えることを特徴とする表示装置。
【請求項２】
請求項１に記載の表示装置において、所定のコマンドを使用して、前記出力条件一覧から選択された出力条件情報を、該出力条件情報に対応する外部機器へ送信し、該外部機器に出力条件を設定する出力条件設定手段を備えることを特徴とする表示装置。
【請求項３】
請求項２に記載の表示装置において、前記表示装置を１階層目に配置し、前記表示装置に直接接続されている外部機器を２階層目に配置し、３階層目以降についても同様に当該階層の外部機器に直接接続されている外部機器を次階層に配置してなるネットワークを構成し、前記出力条件設定手段は、前記ネックワークを構成する特定の外部機器のアドレスを指定して出力条件情報を送信することを特徴とする表示装置。
【請求項４】
請求項１乃至３のいずれか１項に記載の表示装置において、前記外部機器の出力条件情報は、前記外部機器が出力可能な解像度情報を含むことを特徴とする表示装置。
【請求項５】
請求項１乃至４のいずれか１項に記載の表示装置において、前記接続手段は、ＨＤＭＩ規格に準じた接続を行う手段であり、前記所定のコマンドは、ＨＤＭＩ規格に基づくＣＥＣコマンドであることを特徴とする表示装置。
【請求項６】
請求項１乃至５のいずれか１項に記載の表示装置と、該表示装置のＨＤＭＩ端子に直接にまたは他の外部機器のＨＤＭＩ端子を介して間接に接続される１以上の外部機器とを備えた表示システムであって、前記外部機器は、前記表示装置からの制御に応じて出力条件を設定することを特徴とする表示装置。
【発明の詳細な説明】
【技術分野】
【０００１】
本発明は、表示装置及び表示システム、より詳細には、ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）等によるデジタルインタフェースによりＤＶＤ録画装置などの出力装置と接続可能な表示装置、及び該装置を備えた表示システムに関する。
【背景技術】
【０００２】
映像伝送用のデジタルインタフェースとしてＨＤＭＩが普及している。ＨＤＭＩは、ＰＣとディスプレイの接続標準規格であるＤＶＩに音声伝送機能や著作権保護機能を加えて、ＡＶ機器向けにアレンジしたものとなっている。
従来は機器間の接続にビデオ、オーディオ、コントロールの各信号用の複数のケーブルを用いていたが、ＨＤＭＩではケーブル１本で済み、コントロール信号は双方向の伝送に対応しているため、例えばモニタからＨＤＭＩで接続されたＳＴＢやＤＶＤプレーヤ等の出力装置にコントロール信号を中継することによって、一つのリモコンでホームシアタなどのＡＶシステム全体を操作することも可能となる。
【０００３】
テレビなどの表示装置と、ＤＶＤレコーダなどの出力装置とをＨＤＭＩ接続した場合、ＨＤＭＩ対応のテレビは通常ＥＤＩＤ（Ｅｘｔｅｎｄｅｄ  Ｄｉｓｐｌａｙ  Ｉｄｅｎｔｉｆｉｃａｔｉｏｎ  Ｄａｔａ）と呼ばれるデータを保持している。このＥＤＩＤには、テレビが映像表示可能な解像度情報（例えば、１０８０ｉ、７２０ｐ、４８０ｐ、４８０ｉなど）や、アスペクト比情報、種々の表示条件情報などが含まれている。出力側のＤＶＤレコーダは、このＥＤＩＤからテレビの解像度情報を読み取り、その解像度に応じた画像信号を出力する。ＤＶＤレコーダがテレビ側で対応可能な解像度を複数持つ場合、ＤＶＤレコーダ側の設定メニューをＴＶの画面上に表示させ、ユーザ操作により所望の解像度を選択できるようにしていた。
【０００４】
上記ＨＤＭＩ接続における解像度設定に関して、例えば、特許文献１には、モニタ等の表示装置をＤＶＤプレーヤ等の画像出力装置に接続する度に、表示装置における画像情報の表示条件の設定を行うことができる画像出力装置が記載されている。この画像出力装置は、ＨＤＭＩモニタから表示条件を示す情報である条件情報を予め取得するＣＰＵと、取得した条件情報に基づいてＨＤＭＩモニタに出力する画像情報を変換する情報変換部と、情報変換部により変換された画像情報である変換済画像情報をＨＤＭＩモニタに出力するＨＤＭＩ送信部とを備え、ＤＶＤから取得した画像情報を変換してＨＤＭＩモニタに出力する。
【特許文献１】特開２００５−１０９７０３号公報
【発明の開示】
【発明が解決しようとする課題】
【０００５】
従来、ＨＤＭＩ出力で解像度切換を行うときに、出力機器側の解像度設定を変更して切り換えを行う必要がある。上記特許文献１に記載の画像出力装置の場合、ＤＶＤから取得した画像情報を、ＨＤＭＩモニタから取得した条件情報に基づいて解像度変換してＨＤＭＩモニタに出力している。
【０００６】
この際、前述したように、ＤＶＤプレーヤ等の出力機器がテレビ側で対応可能な解像度を複数持つ場合、出力機器側の設定メニューを表示させ、ユーザ操作により所望の解像度を選択できるようにしている。しかし、ＤＶＤプレーヤ等の出力機器の違いにより、解像度を切り換えるための操作方法が異なり、ユーザからすると、異なる出力機器を接続したときにその都度操作方法を覚えなくてはならず、面倒な作業を強いられていた。
【０００７】
一方、ＨＤＭＩ接続の場合、テレビ側のＥＤＩＤを書き換えて所望の解像度を１つだけセットしておくことが考えられる。出力機器はＥＤＩＤ内の解像度を読み取り、その解像度に応じた画像信号を出力する。この場合、テレビから出力機器の解像度切換が可能となる。
【０００８】
しかしながら、テレビの解像度情報を書き換えた場合、テレビに接続されている出力機器Ａは、テレビの解像度情報を再度読み込む。また、さらにその次階層に出力機器Ｂがある場合、その出力機器Ｂもまたテレビの解像度情報を再度読み込む。この処理を順次繰り返すことになるため、テレビの解像度情報を書き換えた場合、テレビに接続されている出力機器全てに解像度情報の再読み込み処理が発生し、時間的ロスが大きい。
【０００９】
また、ＴＶ側の１つのＨＤＭＩ端子に複数の出力機器が接続されている場合、各出力機器について解像度情報を記憶し、出力機器が選択される度に、記憶した解像度情報に切換を行おうとすると、その度テレビ側の解像度情報を書き換える必要が生じるという問題がある。
【００１０】
本発明は、上述のごとき実情に鑑みてなされたものであり、ＨＤＭＩ接続された外部機器が出力可能な条件（解像度など）の中から、表示装置により表示可能な出力条件を一覧表示し、表示装置の操作だけで外部機器側の出力条件設定を可能とした表示装置及び該装置を備えた表示システムを提供すること、を目的とする。
【課題を解決するための手段】
【００１１】
上記課題を解決するために、本発明の第１の技術手段は、外部機器と接続する接続手段を備えた表示装置であって、所定のコマンドを使用して、前記接続手段を介して前記外部機器から出力条件情報を取得する出力条件取得手段と、該取得した前記外部機器の出力条件情報と前記表示装置の出力条件情報とを比較する比較手段と、該比較結果に基づいて前記表示装置により表示可能な前記外部機器の出力条件の一覧を表示する表示手段とを備えることを特徴としたものである。
【００１２】
第２の技術手段は、第１の技術手段において、所定のコマンドを使用して、前記出力条件一覧から選択された出力条件情報を、該出力条件情報に対応する外部機器へ送信し、該外部機器に出力条件を設定する出力条件設定手段を備えることを特徴としたものである。
【００１３】
第３の技術手段は、第２の技術手段において、前記表示装置を１階層目に配置し、前記表示装置に直接接続されている外部機器を２階層目に配置し、３階層目以降についても同様に当該階層の外部機器に直接接続されている外部機器を次階層に配置してなるネットワークを構成し、前記出力条件設定手段は、前記ネックワークを構成する特定の外部機器のアドレスを指定して出力条件情報を送信することを特徴としたものである。
【００１４】
第４の技術手段は、第１乃至第３のいずれか１の技術手段において、前記外部機器の出力条件情報は、前記外部機器が出力可能な解像度情報を含むことを特徴としたものである。
【００１５】
第５の技術手段は、第１乃至第４のいずれか１の技術手段において、前記接続手段は、ＨＤＭＩ規格に準じた接続を行う手段であり、前記所定のコマンドは、ＨＤＭＩ規格に基づくＣＥＣコマンドであることを特徴としたものである。
【００１６】
第６の技術手段は、第１乃至第５のいずれか１の技術手段における表示装置と、該表示装置のＨＤＭＩ端子に直接にまたは他の外部機器のＨＤＭＩ端子を介して間接に接続される１以上の外部機器とを備えた表示システムであって、前記外部機器は、前記表示装置からの制御に応じて出力条件を設定することを特徴としたものである。
【発明の効果】
【００１７】
本発明によれば、ＨＤＭＩ規格に基づくＣＥＣコマンドを利用することでテレビから外部機器の設定が可能となり、それによってユーザインタフェースはテレビに統一することができる。従って、ユーザは外部機器それぞれの設定方法を覚える必要が無くなり、操作性が向上する。
【発明を実施するための最良の形態】
【００１８】
以下、添付図面を参照しながら、本発明の表示装置及び該装置を備えた表示システムに係る好適な実施の形態について説明する。
【００１９】
本発明の実施形態においては、ＨＤＭＩ規格に含まれるＣＥＣ（Ｃｏｎｓｕｍｅｒ  Ｅｌｅｃｔｒｏｎｉｃｓ  Ｃｏｎｔｒｏｌ）を使用する。ここでは、１以上の外部機器とＨＤＭＩ接続された表示装置において、ＣＥＣコマンドを使用して、外部機器から出力条件情報（解像度など）を取得し、取得した外部機器の出力条件情報と表示装置の出力条件情報とを比較し、比較結果に基づいて表示装置により表示可能な外部機器の出力条件の一覧を表示することができるようになる。なお、ＣＥＣは、ＨＤＭＩで規格化されている制御プロトコルであり、そのプロトコルに基づく制御信号であるＣＥＣコマンドが接続機器間でやり取りされる。
【００２０】
図１は、本発明が適用可能なＡＶシステムの構成例を説明するためのブロック図で、出力装置１０と、リピータ機器２０と、表示装置３０とが接続されている構成を示すものである。出力装置１０とリピータ機器２０とはＨＤＭＩケーブルによって接続され、さらにリピータ機器２０と表示装置３０とがＨＤＭＩケーブルによって接続される。
【００２１】
出力装置１０は、例えばＨＤＭＩ出力端子を持つＤＶＤレコーダやＨＤＤレコーダ、ＤＶＤプレーヤ、Ｄ−ＶＨＳレコーダ、デジタルビデオカメラなどであり、リピータ機器２０は、ＨＤＭＩ入力端子と出力端子とをもつＡＶアンプなどであり、表示装置３０は、ＨＤＭＩ入力端子をもつ液晶テレビやモニタなどである。ＡＶアンプなどのリピータ機器２０が複数のＨＤＭＩ入力端子を持っていれば、複数の出力装置１０を接続することができ、ＡＶアンプのセレクタ機能によって入力ラインを切り替えることができる。
【００２２】
ＨＤＭＩケーブルは、デジタル信号である映像・音声信号を差動方式で伝送するためのＴＭＤＳ（Ｔｒａｎｓｉｔｉｏｎ  Ｍｉｎｉｍｉｚｅｄ  Ｄｉｆｆｅｒｅｎｔｉａｌ  Ｓｉｇｎａｌｉｎｇ）ライン（デジタル信号転送ライン）４１と、機器間で共通の制御信号（ＣＥＣコマンド）を伝送する双方向バスであるＣＥＣライン４２とを含んでいる。またこの他、ＨＤＭＩケーブルには、ＥＤＩＤ（Ｅｘｔｅｎｄｅｄ  Ｄｉｓｐｌａｙ  Ｉｄｅｎｔｉｆｉｃａｔｉｏｎ  Ｄａｔａ）の送信やＨＤＣＰ認証等に利用される図示しないＤＤＣラインが含まれる。
【００２３】
ビデオ／音声を含むストリームは、ＴＭＤＳライン４１用いて伝送される。ＴＭＤＳライン４１はシリアル伝送路であり、例えば、赤（Ｒ），緑（Ｇ），青（Ｂ）のチャンネル毎の３つのデータ伝送路と、１つのクロック伝送路とが設けられている。Ｒ，Ｇ，Ｂに分解された映像信号は伝送路内をベースバンド信号で伝送され、音声信号は映像信号のブランキング期間に挿入されて映像信号と同時に伝送される。ＨＤＭＩは、５．１ｃｈや６．１ｃｈなどマルチサラウンドの音声信号の伝送にも対応しており、マルチサラウンド音声信号を映像信号に挿入して同時に伝送することができる。
【００２４】
また本発明に関わる表示装置３０の全録画リスト表示を行うために、ＣＥＣライン４２を介して転送されるＣＥＣコマンドが用いられる。上述のように、ＣＥＣはＨＤＭＩで規格化されている制御プロトコルであり、ＣＥＣコマンドはＣＥＣプロトコルに基づく制御信号である。そしてＣＥＣコマンドを用いて機器間で情報をやりとりすることにより、表示装置３０と接続機器との間で各種の動作制御を実現する。
【００２５】
出力装置１０は、ＨＤＭＩトランスミッタ１１、ＨＯＳＴ  ＣＰＵ１２、フロントマイコン１３、ＣＥＣ  Ｉ／Ｆ１４を備えている。ＨＤＭＩトランスミッタ１１は、例えばＤＶＤなどのメディアに記録されている映像データと音声データとを読み出し、音声信号が映像信号のブランキング期間に挿入されたＨＤＭＩ形式のストリームに変換する。そして、変換したストリームをＴＭＤＳライン４１によってリピータ機器２０へ転送する。ＨＯＳＴ  ＣＰＵ１２は、ＨＤＭＩコントローラを含み、ＨＤＭＩトランスミッタ１１の動作を制御する。
【００２６】
ＣＥＣ  Ｉ／Ｆ１４は、ＨＤＭＩケーブル内のＣＥＣライン４２を接続し、リピータ機器２０との間でＣＥＣコマンドの双方向通信を可能とする。ＣＥＣ  Ｉ／Ｆ１４の動作は、ＣＥＣコントローラを含むフロントマイコン１３により制御され、ＣＥＣコマンドによってＨＤＭＩ接続された機器を制御することができる。例えば、一方の機器（表示装置３０）からスタンバイ状態にある他方の機器（出力装置１０）に対して、電源オンを指示するＣＥＣコマンドを送信することにより電源をオンさせるなどの制御を行うことが可能となる。ＣＥＣの場合、ＨＤＭＩ接続された各機器の論理アドレス（機器の種別）と物理アドレス（機器の位置）が取得されるため、この論理アドレスと物理アドレスを指定することで所望の機器にＣＥＣコマンドを送信することができる。
【００２７】
ＨＯＳＴ  ＣＰＵ１２は装置全体を制御する。またフロントマイコン１３は低電力で動作し、常にＣＥＣライン４２から転送されてくるＣＥＣコマンドを監視する。またリモコン装置があれば、そのリモコン信号の送信の有無を監視する。また装置のスタンバイモードなどによってＨＯＳＴ  ＣＰＵ１２がダウンしているときも、フロントマイコン１３は動作している（少なくともＣＥＣコマンドの転送が可能な状態で動作する）。
【００２８】
リピータ機器２０は、ＨＤＭＩレシーバ２１、ＨＯＳＴ  ＣＰＵ２２、フロントマイコン２３、ＨＤＭＩトランスミッタ２４、及びＣＥＣ  Ｉ／Ｆ２５を備えている。リピータ機器２０は、出力装置１０から転送されたストリームをＨＤＭＩレシーバ２１で受信し、さらにＨＤＭＩトランスミッタ２４から送出して、表示装置３０に転送する。またＣＥＣ  Ｉ／Ｆ２５によって、出力装置１０との間のＣＥＣライン４２と、表示装置３０との間のＣＥＣライン４２とを接続する。
【００２９】
ＨＯＳＴ  ＣＰＵ２２とフロントマイコン２３は、上述の出力装置１０と同様の機能を備え、ＨＯＳＴ  ＣＰＵ２２は、ＨＤＭＩレシーバ２１とＨＤＭＩトランスミッタ２４とを制御するとともに装置全体を制御する。フロントマイコン２３はＣＥＣコントローラを含み、ＣＥＣライン４２から転送されてくるＣＥＣコマンドを監視する。
【００３０】
またＡＶアンプなどのように、リピータ機器２０に複数のＨＤＭＩ入力端子がある場合、複数のＨＤＭＩ機器を出力装置として接続することができる。この場合、リピータ機器２０のセレクト機能より、表示装置３０に転送するストリームの入力ポートを適宜切り替えることができる。そしてストリームの入力ポートの切替は、表示装置３０に対する操作に応じたＣＥＣコマンドによって実現することができる。
【００３１】
表示装置３０は、ＨＤＭＩレシーバを内蔵したＨＯＳＴ  ＣＰＵ３１、モニターマイコン３２、ＣＥＣ  Ｉ／Ｆ３３、及び受光部３４を備えている。表示装置３０は、リピータ機器２０で転送されたストリームをＨＤＭＩレシーバ内蔵のＨＯＳＴ  ＣＰＵ３１で受信する。ＨＤＭＩレシーバはＨＯＳＴ  ＣＰＵ３１と分離された構成であってもよい。またＣＥＣ  Ｉ／Ｆ３３によって、リピータ機器２０との間のＣＥＣライン４２が接続される。
【００３２】
ＨＯＳＴ  ＣＰＵ３１は、ＨＤＭＩレシーバを内蔵し、また装置全体を制御している。またモニターマイコン３２は、ＣＥＣコントローラを含み、ＣＥＣライン４２から転送されてくるＣＥＣコマンドを監視する。モニターマイコン３２は、リモコン装置Ｒからのリモコン信号を受信する受光部３４を制御している。そして装置のスタンバイモードなどにおいてＨＯＳＴ  ＣＰＵ３１がダウンしているときでも、モニターマイコン３２が動作し、ＣＥＣコマンドの送受信とリモコン信号の受信とが可能な状態に維持している。
【００３３】
表示装置３０では、ＨＯＳＴ  ＣＰＵ３１に内蔵されたＨＤＭＩレシーバによりストリームの映像／音声が分離され、必要に応じて所定の映像信号処理及び音声信号処理を行って、ディスプレイ等の表示画面に映像表示を行うとともに、スピーカから音声出力させる。またＨＤＭＩではない経路から映像／音声信号が入力する場合には、ビデオ／オーディオスイッチにより出力信号が切り替えられる。
【００３４】
図２は、本発明の表示装置３０を備えた表示システムの構成例を示すブロック図である。出力装置（以下、レコーダ）１０は、前述したＨＤＭＩトランスミッタ１１、ＨＯＳＴ・ＣＰＵ１２、フロントマイコン１３、ＣＥＣ・Ｉ／Ｆ１４に加えて、レコーダ１０の出力条件情報を記憶する出力条件情報記憶部１５と、ＨＤＭＩ接続するためのＨＤＭＩコネクタ１６とを備えて構成される。また、表示装置（以下、ＴＶ）３０は、前述したＨＯＳＴ・ＣＰＵ３１、モニターマイコン３２、ＣＥＣ・Ｉ／Ｆ３３、受光部３４に加えて、ＴＶ３０の出力条件情報を記憶するメモリ３５と、各出力装置からの出力条件情報を記憶する全出力条件情報記憶部３６と、各種のオンスクリーン信号を生成するＯＳＤ処理部３７と、液晶ディスプレイなどで構成される表示部３８と、本発明の接続手段に相当するＨＤＭＩコネクタ３９とを備えて構成される。
【００３５】
なお、出力条件情報とは、各機器において出力可能な解像度をはじめ、例えば、アスペクト比、画素数、画像表示形式（インターレース形式，プログレッシブ形式など）、画質（明るさ，コントラストなど）、さらには、音声形式（ステレオ形式，モノラル形式，マルチサラウンド形式など）を含むものとする。
【００３６】
本実施形態におけるＴＶ３０は、ＣＥＣコマンドを使用して、ＨＤＭＩコネクタ３９を介してレコーダ１０から出力条件情報を取得する出力条件取得手段と、取得したレコーダ１０の出力条件情報とＴＶ３０の出力条件情報とを比較する比較手段と、比較結果に基づいてＴＶ３０により表示可能なレコーダ１０の出力条件の一覧を表示する表示手段とを備える。また、ＴＶ３０は、ＣＥＣコマンドを使用して、出力条件一覧から選択された出力条件情報を、出力条件情報に対応するレコーダ１０へ送信し、レコーダ１０に出力条件を設定する出力条件設定手段を備える。
【００３７】
なお、出力条件取得手段あるいは出力条件設定手段は、ＣＥＣ・Ｉ／Ｆ３３、モニターマイコン３２、及びＨＯＳＴ・ＣＰＵ３１により実現される。比較手段はＨＯＳＴ・ＣＰＵ３１により実現され、表示手段は表示部３８により実現されるものとする。また、ＴＶ３０により表示可能なレコーダ１０の出力条件一覧を画面表示するためのオンスクリーン信号は、ＯＳＤ処理部３７により生成され、表示部３８から表示出力される。
【００３８】
図２において、ＴＶ３０は、ＴＶ３０に接続されている各出力装置（ここではレコーダ１０）の出力条件情報を取得するためのＣＥＣコマンドを、レコーダ１０のアドレスを指定して送信する。レコーダ１０は、ＨＤＭＩコネクタ１６を介してＴＶ３０からのＣＥＣコマンドを受け取ると、ＨＯＳＴ・ＣＰＵ１２が、出力条件情報記憶部１５からレコーダ１０の出力条件情報を取り出して、この出力条件情報をＴＶ３０へ送信するようにフロントマイコン１３に指示する。フロントマイコン１３は、ＣＥＣ・Ｉ／Ｆ１４を制御して、レコーダ１０の出力条件情報をＴＶ３０へ送信する。
【００３９】
ＴＶ３０は、ＨＤＭＩコネクタ３９を介してレコーダ１０からの出力条件情報を受け取ると、ＨＯＳＴ・ＣＰＵ３１が、受け取ったレコーダ１０の出力条件情報とメモリ３５に記憶されているＴＶ３０の出力条件情報とを比較し、ＴＶ３０により表示可能なレコーダ１０の出力条件があるかどうかを判定する。そして、ＨＯＳＴ・ＣＰＵ３１は、該当する出力条件がある場合、その出力条件のリストを作成する。作成したレコーダ１０の出力条件リストは一旦全出力条件情報記憶部３６に記憶しておく。なお、ＴＶ３０に複数の出力装置が接続されている場合、各出力装置について上記処理を実行する。
【００４０】
次に、ユーザはリモコン装置Ｒを操作して、設定メニュー画面をＴＶ３０に表示させる。ユーザが設定メニュー画面に含まれる「出力条件変更」を選択すると、ＴＶ３０は現在信号が入力されている出力装置の、ＴＶ３０により表示可能な出力条件リストを全出力条件情報記憶部３６から取り出してＯＳＤ表示させる。この出力条件リストの中からユーザ操作により所望の出力条件が選択され、条件変更が決定されると、ＴＶ３０はレコーダ１０へＣＥＣコマンドを送信し、このＣＥＣコマンドに基づいてレコーダ１０の出力条件の変更が実行される。
【００４１】
このように、ＣＥＣコマンドを使用することで、たとえ複数台の出力装置が接続されていても、特定の１台を指定してＣＥＣコマンドを送信することができる。このため、他の出力装置に誤って出力条件が設定されることがない。
また、ＣＥＣコマンドを使用して、表示装置から出力装置を制御することにより、接続される出力装置が変わった場合でも常に同じ表示装置側のユーザインタフェースで操作することができる。
また、表示装置は、出力装置がＣＥＣ対応であれば、ＨＤＭＩ接続された全ての出力装置を認識可能であるため、これら全ての出力装置に対して制御することができる。
【００４２】
図３は、本実施形態に係る表示装置を用いた表示システムの接続例を示す図である。本例において、表示装置であるテレビＡを１階層目に配置し、テレビＡに直接接続されている外部機器（ＡＶアンプ１，レコーダ１）を２階層目に配置し、３階層目以降についても同様に当該階層の外部機器に直接接続されている外部機器を次階層に配置してなるツリー構造のネットワークを構成する。このようなネットワーク構成において、テレビＡは、ネックワークを構成する特定の外部機器のアドレスを指定して出力条件情報を送信することができる。
【００４３】
ここで、ＣＥＣにおける論理アドレスと物理アドレスについて簡単に説明する。まず、論理アドレスは、ＨＤＭＩ  ＣＥＣにおける現在のバージョンの規格では、０〜１５まで扱えることになっており、ＨＤＭＩネットワーク内では唯一名となっている。この論理アドレスは外部機器の種類に応じて異なっている。
【００４４】
また、物理アドレスは、ＨＤＭＩネットワーク内では唯一名となっているが、外部機器がＨＤＭＩネットワークに追加されたり、切り離されたりすると自動的に調整される。物理アドレスは、５階層のアドレスを持ち、同一階層における唯一番号ｎから構成され、ｎ．ｎ．ｎ．ｎ形式で表現される。表示装置に直接接続された外部機器の階層を第１階層とした場合、この第１階層の機器に接続された外部機器が第２階層となり、表示装置から離れるに従って階層番号を増やしていく。そして、上記形式ｎ．ｎ．ｎ．ｎの左端のｎから右へ行くに従って階層番号が増えるように表記する。
【００４５】
例えば、表示装置はルートデバイスであり、“０．０．０．０”の物理アドレスを持つ。この表示装置に直接２台の外部機器が接続された場合には、１台目の外部機器の物理アドレスは、“１．０．０．０”、２台目の外部機器の物理アドレスは、“２．０．０．０”と表記する。そして、２台目の外部機器に３台の外部機器を接続すると、それぞれの物理アドレスは、“２．１．０．０”、“２．２．０．０”、“２．３．０．０”と表記する。
【００４６】
このような論理アドレスと物理アドレスを持つＣＥＣコマンドを使用することで、たとえ複数台の出力装置が接続されていても、特定の１台を指定してＣＥＣコマンドを送信することができる。
【００４７】
図４は、本発明の表示装置による外部機器の出力条件設定方法の一例を説明するためのフロー図である。図５は、表示装置によりＯＳＤ表示される画面例を示す図である。
まず、表示装置であるＴＶ３０は、ＣＥＣコマンドを使用して、出力装置の出力条件情報を取得する（ステップＳ１）。ＴＶ３０は、取得した出力装置の出力条件情報と、ＴＶ３０の出力条件情報とを比較し（ステップＳ２）、出力装置の出力条件の中に、ＴＶ３０により表示可能な出力条件が有るかどうかを判定する（ステップＳ３）。
【００４８】
ＴＶ３０は、ステップＳ３において、表示可能な出力条件がない場合（ＮＯの場合）、表示不可の通知を行う（ステップＳ４）。また、ステップＳ３において、表示可能な出力条件がある場合（ＹＥＳの場合）、ＴＶ３０により表示可能な出力装置の出力条件リストを作成し記憶する（ステップＳ５）。
【００４９】
次に、ＴＶ３０は、ユーザによる出力条件変更の操作があったかどうかを判定し（ステップＳ６）、出力条件変更の操作があった場合（ＹＥＳの場合）、図５（Ａ）に示す「選択可能外部機器一覧」をＯＳＤ表示させる。なお、この「選択可能外部機器一覧」においてデフォルトでは現在入力中の外部機器（ここではレコーダ１）が選択状態となるが、他の外部機器の出力条件を変更したい場合、この一覧から他のレコーダ（レコーダ２，レコーダ３）を選択してもよい。一方、ステップＳ６において、出力条件変更の操作がない場合（ＮＯの場合）、ステップＳ６で待機状態に移行する。
【００５０】
次に、ＴＶ３０は、図５（Ａ）に示すＯＳＤ画面から、例えば、レコーダ１が選択された状態で「ＯＫ」ボタンが押下されると、図５（Ｂ）に示すレコーダ１の出力条件リストをＯＳＤ表示する（ステップＳ７）。
【００５１】
次に、ＴＶ３０は、ユーザによる出力条件の選択があったかどうかを判定する（ステップＳ８）。これは、図５（Ｂ）において、例えば、出力条件として７２０ｐが選択され「ＯＫ」ボタンが押下されると（ステップＳ８のＹＥＳの場合）、ＴＶ３０は、ＣＥＣコマンドを使用して、選択された出力条件（７２０ｐ）をレコーダ１に設定する（ステップＳ９）。また、図５（Ｂ）において、出力条件が選択されず「ＣＡＮＣＥＬ」ボタンが押下されると（ステップＳ８のＮＯの場合）、出力条件はそのままで終了する。
【００５２】
なお、前記においては、レコーダ１の出力条件が複数ある場合を例に説明してきたが、レコーダ１の出力条件が単一である場合、ユーザに出力条件の選択を要求するのはユーザにとっても煩わしい。そこで、テレビに出力条件を表示するとともに単一の出力条件をレコーダ１に自動的に設定するようにしても良い。このようにすることにより、ユーザの設定の手間を省くことができる。
【００５３】
以上説明したように、本発明によれば、ＨＤＭＩ規格に基づくＣＥＣコマンドを利用することでテレビから外部機器の設定が可能となり、それによってユーザインタフェースはテレビに統一することができる。従って、ユーザは外部機器それぞれの設定方法を覚える必要が無くなり、操作性が向上する。
【図面の簡単な説明】
【００５４】
【図１】本発明が適用可能なＡＶシステムの構成例を説明するためのブロック図である。
【図２】本発明の表示装置３０を備えた表示システムの構成例を示すブロック図である。
【図３】本実施形態に係る表示装置を用いた表示システムの接続例を示す図である。
【図４】本発明の表示装置による外部機器の出力条件設定方法の一例を説明するためのフロー図である。
【図５】表示装置によりＯＳＤ表示される画面例を示す図である。
【符号の説明】
【００５５】
１０…出力装置、１１，２２…ＨＤＭＩトランスミッタ、１２，２３，３１…ＨＯＳＴ  ＣＰＵ、１３，２４…フロントマイコン、１４，２５，３３…ＣＥＣ  Ｉ／Ｆ、１５…出力条件情報記憶部、１６，３９…ＨＤＭＩコネクタ、２０…リピータ機器、２１…ＨＤＭＩレシーバ、３０…表示装置、３２…モニターマイコン、３４…受光部、３５…メモリ、３６…全出力条件情報記憶部、３７…ＯＳＤ処理部、３８…表示部、４１…ＴＭＤＳライン、４２…ＣＥＣライン。
【図１】
2008067024.tif 000003
【図２】
2008067024.tif 000004
【図３】
2008067024.tif 000005
【図４】
2008067024.tif 000006
【図５】
2008067024.tif 000007